(57)【要約】【課題】簡単な構成でソファとベッドのいずれにも使用することができ、内部の見えない引出し式の収納構造を有し、ソファとして使用する際には手ごろな大きさのソファとなり、ベッドとして使用する際には簡単な組合せ配列により寝台部の長さ及び横幅を確保することができる収納ソファベッドを提供する。【解決手段】腰掛または寝台として使用する座部２の下部を成す収納枠３に収納箱４が引出し自在に設けられると共に、前記座部２の後方に背部５が設けられ、該背部５の下部に寝台としての広さを確保するための凹部６が形成された単体のソファ１が少なくとも２台またはそれ以上組み合わされることによってベッド１０として使用可能にされた構成を有する。【選択図】図２
2004358013.tif 000002
【特許請求の範囲】
【請求項１】
腰掛または寝台として使用する座部の下部を成す収納枠に収納箱が引出し自在に設けられると共に、前記座部の後方に背部が設けられ、該背部の下部に寝台としての広さを確保するための凹部が形成された単体のソファが少なくとも２台またはそれ以上組み合わされることによってベッドとして使用可能にされたことを特徴とする収納ソファベッド。
【請求項２】
前記単体のソファにおける前記収納枠の前面または後面が開口されることによって前記収納箱を前方または後方へ引出し可能にしたことを特徴とする請求項１記載の収納ソファベッド。
【請求項３】
前記単体のソファは、前記収納箱を前方または後方へ引き出す収納枠と、該収納枠の上面に設けられたクッション性を有する座部と、前記収納枠の後方に設けられた背部と、該背部の下部に寝台としての広さを確保するための凹部が形成されて成ることを特徴とする請求項１または２記載の収納ソファベッド。
【発明の詳細な説明】
【０００１】
【発明の属する技術分野】
本発明は、組み合わせによってソファにもベッドにも使用できると共に、引出し式の収納部を有する収納ソファベッドに関するものである。
【０００２】
【従来の技術】
近時の住宅事情によって家屋内の各部屋が狭くなってきているうえ、家具が増えると、ますます室内の自由な空間が少なくなり、ソファやベッドを設置する場所を確保するのが難しいというのが現状である。
【０００３】
このような状況に対処して、種々の家具を折り畳み可能に構成したり、兼用型に構成したりする工夫がなされている。特に、スペースをとる家具として、ソファやベッドを兼用型に構成すると共に、内部の空間を収納スペースとして利用するようにしたものが開発されている。
【０００４】
その例として、特許文献１に開示されたものは、ベッドとしてもソファとしても使用できるソファベッドに関するものである。その構成は、図９に示すように、下方に箱状の収納部３０を有し、該収納部３０の上方開口部３１を施蓋する蓋部３２が該収納部３０の上方開口縁部３４の一部に枢着され、該蓋部３０が有段または無段階に折曲げられることにより背部を形成可能に構成されたものである。
【０００５】
このような構成においては、収納部３０の下方に車輪３３を有することによって、容易に移動することができる構成とされている。
【０００６】
【特許文献１】
特開２０００−８３７６２号公報（第２頁、図１）
【０００７】
【発明が解決しようとする課題】
上記の特許文献１においては、下方に設けられた収納部３０の上方開口部３１を施蓋する蓋部３２を平面状態にすることによりベッドとして使用し、また蓋部３２を折曲げることによって背部を形成することによりソファとして使用することができる。また、蓋部３２を折り曲げた状態にしたときの上方開放部３１から収納部３０へ物の出し入れを行うようにしたものである。
【０００８】
ところが、上記のソファベッドは収納部３０の蓋部３２が折り畳み可能とされているもので、このための折り畳み機構を必要とするうえ、蓋部３２を折り曲げたソファの状態にすると上方開口部３１が露呈し、収納部３０の内部が上方から見える状態になるという欠点がある。
【０００９】
さらに、上記のソファベッドは、１台のベッドとしての長さを有するため数人が腰掛けられる大型のソファとして使用できるものであるが、狭い部屋に設置することが困難となる。
【００１０】
本発明は、上記の事情に鑑みて成されたもので、簡単な構成でソファとベッドのいずれにも使用することができ、内部の見えない引出し式の収納構造を有し、ソファとして使用する際には手ごろな大きさのソファとなり、ベッドとして使用する際には簡単な組合せ配列により寝台部の長さ及び横幅を確保することができる収納ソファベッドを提供することを目的とする。
【００１１】
【課題を解決するための手段】
上記の目的を達成するために、本発明の請求項１における収納ソファベッドは、腰掛または寝台として使用する座部の下部を成す収納枠に収納箱が引出し自在に設けられると共に、前記座部の後方に背部が設けられ、該背部の下部に寝台としての広さを確保するための凹部が形成された単体のソファが少なくとも２台またはそれ以上組み合わされることによってベッドとして使用可能にされたことを特徴とする。
【００１２】
また、本発明の請求項２の収納ソファベッドは、請求項１において、前記単体のソファにおける前記収納枠の前面または後面が開口されることによって前記収納箱を前方または後方へ引出し可能にしたことを特徴とする。
【００１３】
さらに、本発明の請求項３の収納ソファベッドは、請求項１または２において、前記単体のソファは、前記収納箱を前方または後方へ引き出す収納枠と、該収納枠の上面に設けられたクッション性を有する座部と、前記収納枠の後方に設けられた背部と、該背部の下部に寝台としての広さを確保するための凹部が形成されて成ることを特徴とする。
【００１４】
【発明の実施の形態】
以下、本発明の実施例について図面を参照しながら説明する。
【００１５】
本発明による収納ソファベッド１０は、図１または図２に示すように、腰掛または寝台として使用する座部２の下部を成す収納枠３に収納箱４が引出し自在に設けられると共に、座部２の後方に背部５が立設され、該背部５の下部に寝台としての広さを確保するための凹部６が形成された単体のソファ１が少なくとも２台またはそれ以上組み合わされることによってベッドとして使用可能にされたものである。
【００１６】
上記の構成について、より詳細に述べると、まず、単体のソファ１としての構成は、図１に示すように、収納枠３の前面が開口（前面開口部８ａ）されることによって収納枠３の内部に収納箱４を収納することにより、該収納箱４を前方へ引き出すことを可能とした構成としている。
【００１７】
さらに、この単体のソファ１としての構成は、上記の収納枠３の上面に設けられたクッション性を有する座部２と、収納枠３の後方から立設された背部５と、該背部５の下部に寝台としての広さを確保するための凹部６が形成されて成るものである。
【００１８】
即ち、収納枠３は腰掛または寝台として使用する座部２を支持するために相応しい強度を確保する必要があり、木製または金属製等によって構成してある。また、座部２は腰掛または寝台として身体を心地よく支持する必要があるため、それに相応しいクッション性を有するように綿等の布製等による張地の内部にウレタンフォーム等のクッション材を充填してなり、背部５の上方凸部７にも布製等による張地の内部にクッション材を充填し、座部２に腰掛けた者の背中を心地よく支えるようにしている。
【００１９】
さらに、引出し式の収納箱４は上方が開放された箱構造であり、前板に取手部４ａが形成されている。この取手部４ａは座部２に腰を降ろした使用者の足が当るところであるため、安全性を考慮して突出形状としないように凹んだ形状にしてある。
【００２０】
また、図３に示すように、背部５の下部に設けられた凹部６は、座部２を寝台として使用した場合の座部２の広さを確保するために設けられたものである。このような構成により、背部５の上方の上方凸部７の下部に凹んだ部分が生じ、座部２の上面に寝た者１１の片側の肩部１１ａが凹部６に入るため、座部２を寝台として広く使用することが可能となる。
【００２１】
なお、上記の単体としてのソファ１において、通常の構成は、図１に示すように、収納枠３の前面が開口（前面開口部８ａ）され、該収納枠３の内部に収納箱４を挿着して前方へ引き出す構成としているため、単体のソファ１の躯体の強度を確保するために、ソファ１の背面は開口部を形成しない全面板張りとすることもできる。
【００２２】
このような通常の構成においては、図５に示すように、テーブル１７を挟んで向き合わせた状態に、単体のソファ１を横に２台ずつ組合せるという通常の応接セットのような配列とすることも可能である。この場合、向き合わせに２台のベッド１０ができることになる。ただし、使用者の身長によっては、２台の組合わせによるベッドとしては長さが不十分であることも考えられるが、この場合、もう一台の単体のソファ１を並べることによって、十分の長さを確保することが可能となる。
【００２３】
また、図６に示すように、本発明の応用によるコーナー部にＬ字形の背部５を有する単体のコーナー用ソファ１３を設置し、その両側に本発明による単体のソファ１を配列することによって、全体としてＬ字形の配列としたソファとして使用したり、この状態でそのままベッドとして使用することも可能となる。
【００２４】
なお、図４または図７に示すように、引出し式の収納箱４を収納枠３の後方へ引き出す構成とすることも可能である。これは、図４に示すように、使用者の身長に応じて２台または３台の単体のソファ１、１…を組み合わせて、これを寝台として使用する場合、一方の側には背部５があって寝ている者１１の落下防止になるが、他方の側には背部５がないため、収納枠３の前面側を落下防止のために壁１４に寄せて使用すると、引出し式の収納箱４を外へ引き出すことができなくなる。
【００２５】
このような場合には、収容枠３の後方から引出し式の収納箱４を引出し可能とすればよく、そのために、図４に示すように、収納枠３の後面を開口（後面開口部８ｂ）して前面を補強のための板部材１５（図８（ｂ）参照）を張ってネジ１６等で止めるようにした構成とすることもできる。
【００２６】
また、図７に示すように、本発明の単体としてのソファ１を横方向に配列すると共に前面同士を合わせることによって両側に背部５、５を有する組合せにすると、左右両側に背部５、５を有することによる落下防止を成すセミダブルベッドのような使用が可能となる。この場合、収納枠３の前面同士が閉塞されるため、収納箱４を収納枠３の後方へ引き出すことができる構造とすれば、上記のような設置状況そのままで収納箱４の引出しが可能となる。
【００２７】
【発明の効果】
以上説明したように、本発明の収納ソファベッドは、腰掛または寝台として使用する座部の下部を成す収納枠に収納箱が引出し自在に設けられると共に、座部の後方に背部が設けられ、該背部の下部に寝台としての広さを確保するための凹部が形成されているため、ソファを単体として使用したり、単体のソファを少なくとも２台またはそれ以上組み合わすことによって、幅広のソファとして使用するだけではなく、ベッドとしての長さと幅を十分に確保することができる収納ソファベッドとしての使用が可能となる。
【００２８】
このような構成においては、ソファとして使用していた状態から容易にベッドとしての使用が可能となり、上記のように背部の下部に寝台としての広さを確保するための凹部が形成されているため、座部の上面に寝た者の片方の肩が背部の凹部に入るため、その分、広い寝台面積を有する収納ソファベッドとしての使用が可能となる。
【００２９】
また、使用状況に応じて、単体のソファの夫々に引出し式の収納箱を前方または後方へ引き出すことができるため、狭い部屋でも収納スペースを補うことができる現在の住宅事情に適するソファ兼用のベッドであって、しかも収納部を有する収納ソファベッドとしての使用が可能となる。
【図面の簡単な説明】
【図１】本発明による収納ソファベッドに使用する単体のソファの全体斜視図である。
【図２】本発明による収納ソファベッドをソファベッドとして組み合わせた状況を示す全体斜視図である。
【図３】本発明による収納ソファベッドの使用状況を示す端面図であり、収納箱の引き出し方向が後方へ引き出されるように構成されたものである。
【図４】本発明による収納ソファベッドの使用状況を示す端面図であり、収納箱の引き出し方向が後方へ引き出されるように構成されたものである。
【図５】本発明による収納ソファベッドを応接セットに使用した組合せ例を示す平面図である。
【図６】本発明による収納ソファベッドをＬ字形に組み合わせた例を示す平面図である。
【図７】本発明による収納ソファベッドをセミダブルベッドのように組合せた例を示す斜視図である。
【図８】本発明による収納ソファベッドの斜視図であり、（ａ）は収納枠の後面に板部材を固設した状況を示し、（ｂ）は収納枠の前面に板部材を固設した状況を示す。
【図９】従来のソファベッドを示す斜視図である。
【符号の説明】
１…ソファ
２…座部
３…収納枠
４…収納箱
４ａ…取手部
５…背部
６…凹部
７…上方凸部
８ａ…前面開口部
８ｂ…後面開口部
１０…収納ソファベッド（ベッド）
１１…寝ている者
１１ａ…肩部
１３…コーナー用ソファ
１４…壁
１５…板部材
１６…ネジ
１７…テーブル
【図１】
2004358013.tif 000003
【図２】
2004358013.tif 000004
【図３】
2004358013.tif 000005
【図４】
2004358013.tif 000006
【図５】
2004358013.tif 000007
【図６】
2004358013.tif 000008
【図７】
2004358013.tif 000009
【図８】
2004358013.tif 000010
【図９】
2004358013.tif 000011